(57)【特許請求の範囲】
【請求項１】
自動車の３Ｄ表示に関する視聴者相互作用のための方法であって、
視聴者へのインターフェースの提供、
視聴者への３Ｄ自動車画像の提示、
自動車の所望の部位または全体像に関する視聴者からの入力の受信、および
視聴者に示される所望の部位または全体像に対応する３Ｄ自動車画像の調整または変更、
からなり、
前記示される所望の部位または全体像は、仮想３Ｄ自動車の組立の様々な状態における構成要素の選択をともなう同時通報中の分析者による仮想３Ｄ自動車に対する操作と同時通報インターフェースを用いて部分的に組み立てられるかあるいは孤立した構成要素に限定された表示を提供するための操作と、に応じて提供され、
前記提示は前記視聴者による仮想３Ｄ自動車に対する操作に応じて提供され、
前記提示はさらに、自動車の構成要素の選択、および自動車の構成要素の表示された部位の前記視聴者による操作に応じて提供され、
前記仮想３Ｄ自動車は、視聴者による仮想３Ｄ自動車に対する操作に応じてリアルタイムで制御され、
前記提示はさらに、前記操作された仮想３Ｄ自動車の表示とともに商標または広告情報を提供する、方法。
【請求項２】
前記インターフェースはタッチスクリーン式表示装置インターフェースからなる、請求項１に記載の方法。
【請求項３】
前記インターフェースは携帯インターフェースからなる、請求項１に記載の方法。
【請求項４】
前記インターフェースはウェブインターフェースからなる、請求項１に記載の方法。
【請求項５】
前記タッチスクリーン式表示装置インターフェースは、自動車の部位および構成要素に対応する選択可能カテゴリーおよびサブカテゴリーの配置されたインデックスを備えるように構成される、請求項２に記載の方法。
【請求項６】
前記タッチスクリーン式表示装置インターフェースはさらに、自動車の部位または構成要素の少なくとも選択可能なアニメーションからなる、請求項５に記載の方法。
【請求項７】
自動車の３Ｄ表示に関する視聴者相互作用のためのシステムであって、
３Ｄ自動車画像を視聴者へ提示するように構成される視聴者インターフェース、
視聴者による自動車の所望の部位または全体像の選択を可能とするように構成される制御入力、および
３Ｄ自動車画像を調整または変更して視聴者に示される所望の部位または全体像に対応させるように構成されるサーバーであって、該所望の部位または全体像に対応する３Ｄ自動車の情報を含む記録装置にアクセスするサーバー、からなり、
前記示される所望の部位または全体像は、仮想３Ｄ自動車の組立の様々な状態における構成要素の選択をともなう同時通報中の分析者による仮想３Ｄ自動車に対する操作と同時通報インターフェースを用いて部分的に組み立てられるかあるいは孤立した構成要素に限定された表示を提供するための操作と、に応じて提供され、
前記提示は前記視聴者による仮想３Ｄ自動車に対する操作に応じて提供され、
前記提示はさらに、自動車の構成要素の選択、および自動車の構成要素の表示された部位の前記視聴者による操作に応じて提供され、
前記仮想３Ｄ自動車は、視聴者による仮想３Ｄ自動車に対する操作に応じてリアルタイムで制御され、
前記提示はさらに、前記操作された仮想３Ｄ自動車の表示とともに商標または広告情報を提供する、システム。
【請求項８】
前記提示はさらに、自動車の構成要素の選択と、自動車の構成要素の表示された部位の前記視聴者による同時通報のための操作と、に応じて提供される、請求項７に記載のシステム。
【請求項９】
前記視聴者インターフェースはタッチスクリーン式表示装置インターフェースからなる、請求項７に記載のシステム。
【請求項１０】
前記視聴者インターフェースは携帯インターフェースからなる、請求項７に記載のシステム。
【請求項１１】
前記視聴者インターフェースはウェブインターフェースからなる、請求項７に記載のシステム。
【請求項１２】
前記タッチスクリーン式表示装置インターフェースは、自動車の部位および構成要素に対応する選択可能カテゴリーおよびサブカテゴリーの配置されたインデックスを備えるように構成される、請求項９に記載のシステム。
【請求項１３】
前記タッチスクリーン式表示装置インターフェースにはさらに、自動車の部位または構成要素の少なくとも選択可能なアニメーションが含まれる、請求項１２に記載のシステム。
【発明の詳細な説明】
【技術分野】
【０００１】
本出願は、２０１３年１月１０日に出願された米国仮特許出願６１／７５０，８７５号の利益を請求するものであり、これらはその全体がここに組み込まれている。
【０００２】
本発明は概して乗物の三次元（３Ｄ）表示の提示およびそのインタラクションに関する。
【背景技術】
【０００３】
乗物の構成要素または構成に関する従来の情報には、事前に描画または印刷された表示が含まれる。例えば解説者によるビデオ同時通報を介して、このような情報を視聴者に提示する場合、解説者は事前に描画されたものが何かを正確に知っていなければならず、また事前に設定された内容に関連する制約を守らなければならない。
【０００４】
ある関連するシナリオにおいては、表示によって所望の議論またはトピックを完全に説明しきれないこともあり得る。よって、この分野において、乗物の所望される各部や全体像を柔軟に提供できる仕組みが求められている。
【発明の概要】
【０００５】
この乗物の３Ｄ表示に関する視聴者相互作用のためのシステム、方法およびインターフェースによって、視聴者が乗物の表示を調整し所望の部位または全体像とすることを可能とする機構の提供により、先行技術の問題および不利益を克服し、緩和する。
【０００６】
典型的な実施例において、前記視聴者は、同時通報解説者、乗物専門家、あるいはコンピューターインターフェースの最終利用者や携帯装置の利用者等の他の形式の視聴者といった任意の形式の視聴者でありうる。さらに、前記インターフェースは、同時通報または他の制作の間に用いられるインターフェース、あるいはソフトウェア、ネットワークまたはインターネット接続とともに構成され表示の展示を促進するコンピューター、タブレットまたは携帯装置を含む、任意の形式のインターフェースでありうる。
【０００７】
本開示に係る典型的な方法は、視聴者インターフェースの提供、視聴者への３Ｄ乗物画像の提示、乗物の所望の部位または全体像に関する視聴者からの入力の視聴者インターフェースを介しての受信、および３Ｄの乗物画像の調整または変更による、所望の部位または全体像を示す視聴者への対応を含む。
【０００８】
前記の、および他の典型的な実施例を、以下の発明を実施する形態において、より詳細に述べる。
【０００９】
以下の図面を参照することで、本発明の多くの側面をよりよく理解することができる。図面の構成要素において、その寸法は必須のものではなく、本発明の原理を明瞭に説明するためのものである。さらに、類似の符号は複数の図にわたって対応する部分を示す。
【図面の簡単な説明】
【００１０】
【図１】本発明の典型的な実施例における典型的な方法を示すフローチャートである。
【図２】視聴者の表示装置に提供される例示的な映像提示の図である。
【図３】視聴者の表示装置に提供される例示的な視聴者インターフェースの図である。
【図４】アニメーションを示す例示的な表示である。
【図５】乗物の３Ｄ表示に関する視聴者相互作用のための例示的なシステムの図である。
【図６】例示的なコンピューターシステムおよび表示装置の図である。
【図７】ここで述べる例示的な実施例に従う例示的なコンピューター使用可能媒体である。
【発明を実施するための形態】
【００１１】
前記の簡単な説明および個々の図に関連する説明文に続いて、以下の説明によって本発明の実施例のさらなる詳細が提供される。実施例を特定の形態および特定の詳細へと限定することを意図したものではなく、逆に実施例は、実施例および請求項の範囲内の全ての改良、同等品および代替案を包含することは理解されるべきである。図面の記述を通して、類似の符号は類似の要素を示す。
【００１２】
第１、第２等の語はここで複数の手順や演算を述べるために用いられるが、これらの手順や演算はこれらの語によって限定されないことは理解されるであろう。これらの語は手順や演算のうちの１つを他のものと区別するためにのみ用いられる。例えば、本開示の範囲から離れることなく、第１の演算を第２の演算と呼ぶことができ、同様に第２の手順を第１の手順と呼ぶこともできる。ここで用いる語“および／または”は、関連する列記された項目の１つ以上の任意および全ての組み合わせを含む。
【００１３】
そうでないことが文脈で明らかに示される場合を除けば、ここで用いる単数形の語は複数形を含むことを意図する。“からなる”および／または“含む”という語は、ここで用いられる場合、所定の特徴、整数、手順、操作、要素、および／または構成要素の存在を明示するが、１つ以上の他の特徴、整数、手順、操作、要素、構成要素、および／またはこれらの組み合わせの存在または追加を排除しないことは理解されるであろう。
【００１４】
代替の実装においては、記載の機能／行為が図の記載の順番から外れて起こりうる。例えば、連続して示される２つの図、または任意の図中で説明される複数の手順が、含まれる機能／行為によっては、略同時にまたは逆の順番で実行されうる。
【００１５】
以下に本発明の例示的な実施例を詳細に述べる。
【００１６】
前記のように、本発明は、乗物の３Ｄ表示に関する視聴者相互作用のためのシステム、方法およびインターフェースに関するものであり、これによって、視聴者が乗物の表示を調整し所望の部位または全体像とすることを可能とする機構の提供により、先行技術の問題および不利益が克服および緩和される。
【００１７】
例示的な実施例において、前記視聴者は、同時通報解説者、乗物専門家、あるいはコンピューターインターフェースの最終利用者や携帯装置の利用者等の他の形式の視聴者といった任意のタイプの視聴者でありうる。さらに、前記インターフェースは、同時通報または他の制作の間に用いられるインターフェース、あるいはソフトウェア、ネットワークまたはインターネット接続とともに構成され映像提示を促進するコンピューター、タブレットまたは携帯装置を含む、任意の形式のインターフェースでありうる。
【００１８】
本開示に係る典型的な方法は、図１の１００で示され、視聴者インターフェースの提供（ブロック１０１で示される）、視聴者への３Ｄ乗物画像の提示（ブロック１０２で示される）、乗物の所望の部位または全体像に関する視聴者からの入力の視聴者インターフェースを介しての受信（ブロック１０３で示される）、および３Ｄ乗物画像の調整または変更による、所望の部位または全体像を示す視聴者への対応（ブロック１０４で示される）を含む。
【００１９】
図２は図示しない視聴者表示装置上に提供される典型的な提示（２００）を示す。この典型的な提示は、乗物の構成要素（ここでは２０２において“Ｅｎｇｉｎｅ（エンジン）”として識別される）を識別し、同時通報情報（２０４における“ＮＡＳＣＡＲ  ＯＮ  ＦＯＸ”）を提供し、商標または広告情報（２０６における“Ｆｏｒｄ（フォード）”）を提供する。提示はまた、エンジン自体の３Ｄ表示（３Ｄオブジェクトの実際の３Ｄまたは２Ｄ表示）を提供する（２０８において）。
【００２０】
例示的な実施例において、３Ｄ表示の部位または全体像を変更するための制御はインターフェース自体を介してなされうる（例えば画像のスワイプまたはマルチタッチ操作を可能とすることによる）か、あるいはこのような制御は３Ｄ表示に関して、しかし該３Ｄ表示から離れてなされうる（３Ｄ表示から分離して該表示と同じ装置上でなされるか、あるいは３Ｄ表示を制御する別の装置でなされる）。
【００２１】
図３は例示的な実施例（概して３００において示される）を示し、提示２００がタッチスクリーンメニュー（概して３０４において示される）とともに表示装置３０２上に提供される。図示される例示的なタッチスクリーンメニュー３０４には、様々な選択可能な乗物のカテゴリー（例えば３０６における“Ｅｎｇｉｎｅ（エンジン）”を参照）およびサブカテゴリー（例えば３０８における“Ｉｎｊｅｃｔｏｒ（インジェクター）”を参照）が含まれる。制御によって、組立の様々な状態における構成要素の選択もまた提供されうる（これによって、部分的に組み立てられるかあるいは除去される構成要素に限定された表示が提供される）。例えば、図示される“Ｂｒａｋｅｓ（ブレーキ）”カテゴリーは、ローター、システム上の温度の効果、ブレーキパッドの図示、カリパスの図示、ブレーキテザーの図示、およびブレーキファンネルの図示を分離するかさらに表示するサブカテゴリー（概して３１０において示される）を含む。さらに、任意のカテゴリーまたはサブカテゴリーは、アニメーションの全体または一部を含みうるものであり、これによって例えばトラックバーカテゴリーや、３１２で示されるアニメーションされるトラックバータブを含む構成要素を示す。
【００２２】
さらに、システムは構成要素全体のアニメーションを提供する制御を実装しうる。この例の１つは３１４において、“Ｅｎｇｉｎｅ（エンジン）”３０６上方の“ｃｌｉｐ（クリップ）”インジケーターを介して提供される。図４は、ステアリングおよびサスペンションカテゴリーの例示的なアニメーションを示し、これはこの場合には例示的インターフェース４００上に設けられるＱｕｉｃｋＴｉｍｅウインドウ４０２において表示される。ウインドウ４０２は、様々なプレーコントロール４０４およびクリッププレー４０６のシーケンスのインジケーターを含む（示される例示的な実施例においては、ビデオによってブレーキカリパスが示される）。他の例示的な実施例においては、タッチスクリーン表示装置を介してアニメーションの一部を選択可能であり、このような表示からアニメーションの一部または全体の操作が可能である。
【００２３】
図５は、乗物の３Ｄ表示に関する例示的な視聴者相互作用のためのシステムを示す。システム５００はサーバー５０１を含みうる。サーバー５０１は複数の情報を含みうるものであり、該複数の情報は乗物情報、概略図、参照画像、３Ｄ構造、部分隔離、専門家分析、広告情報、アルゴリズム、処理モジュールおよび他のデータ記録を含むがそれに限定されない。サーバー５０１は通信チャンネル５１０を介してネットワーク５０６と通信されうる。
【００２４】
さらに、システム５００は追加の第三者のデータソースまたはサーバー５０３にアクセスするか、あるいはインターフェースで接続しうる。第三者のデータソース５０３は、通信チャンネル５１１を介してネットワーク５０６と通信されうる。個別に説明したが、ソース５０３はサーバー５０１と略同様のサーバーを含みうることが注目される。サーバー５０１またはソース５０３は、例えば携帯サービスプロバイダー、ビジネス情報プロバイダー、あるいは他の適当なプロバイダーまたはリポジトリ等のデータサービスプロバイダーを含みうる。サーバー５０１またはソース５０３はまた、ここで述べられるインターフェース／方法のいずれかに実装されるアプリケーションおよび／またはコンピューター実行コードを提供するアプリケーションサーバーを含みうる。サーバー５０１またはソース５０３は、複数のアプリケーションのデフォルト、選択、セットアップおよび／または構成を提供することで、装置がアプリケーションを受信および処理するものとしうる。サーバー５０１またはソース５０３は、アプリケーションを視聴者インターフェース上に、または装置のブラウザーによる比較的容易な選択のために装置のウェブブラウザー上に提示しうる。視聴者インターフェース、またはアプリケーション選択のために描画されるウェブページは、アプリケーションストアまたはアプリケーション市場の形態でありうる。
【００２５】
あるいは、別のサーバー構成要素またはローカルコンピューター機器、例えば５０４、５０５および／または５０６によって、視聴者インターフェースを提供するとともにサーバー５０１またはソース５０３を接続制御するものとしうる。また、サーバー５０１、またはローカルコンピューター機器５０４・５０５・５０６のうち１つ以上が、ソース５０３および本発明の実施例で用いられるデータに適切なキャッシュデータに定期的にアクセスするように構成しうる。
【００２６】
ネットワーク５０６は、インターネット、広域ネットワークおよび／またはローカルネットワークを含む適当なネットワークでありうる。サーバー５０１およびソース５０３は、通信チャンネル５１０・５１１上でネットワーク５０６と通信されうる。通信チャンネル５１０・５１１は、無線、衛星、有線その他を含む任意の適当な通信チャンネルでありうる。
【００２７】
例示的なシステム５００はさらに、通信チャンネル５１２上でネットワーク５０６と通信されるコンピューター機器５０５を含む。コンピューター機器５０５は、パーソナルコンピューター（固定配置）、ラップトップまたはポータブルコンピューター、携帯情報端末、携帯電話、携帯タブレットコンピューター、携帯オーディオプレイヤーその他を含む任意の適当なコンピューター機器でありうる。例えば、システム５００は、それぞれ携帯電話およびタブレットとして具体化されるコンピューター機器５０４・５０６を含みうる。機器５０４・５０６は、表示手段５４１・５６１および／またはボタン／制御５４２を含みうる。制御５４２は任意の前記の制御を個別に、または組み合わせて操作する。
【００２８】
さらに、機器５０４・５０５・５０６は、通信チャンネル５１５・５１６（例えば有線、無線、ブルートゥースチャンネル、ＲＦ等）上で互いに通信されるとともに、通信チャンネル５１２・５１３・５１４上でネットワーク５０６と通信されるものとしうる。
【００２９】
したがって、機器５０４・５０５・５０６は、互いに、およびサーバー５０１およびソース５０３の一方または両方と通信されうる。個々の機器はネットワーク５０６および互いと切断可能に通信され、機器５０４・５０５・５０６はネットワーク５０６との常時通信無しに操作されうる（例えばインターフェースのデータ通信制御を用いて）。例えば、データ使用可能性が無いか、あるいは視聴者が機器にオフライン作業を指示している場合、機器５０４・５０５・５０６のいずれかで用いられるデータは、保存された／キャッシュされた情報／パラメータに基づくものとしうる。機器５０４・５０５・５０６はそれぞれさまざまな実施例で述べられる方法を行うように構成されうるということになる。
【００３０】
さらに、説明された通信媒体のいずれかを用いて、機器５０４・５０５・５０６は、システム５００の説明された要素のいずれかにおいて以前または現在に生成された異なるデータを、操作、共有、送信および／または受信しうる。例えば、データはサーバー５０１および／またはソース５０３上で利用可能とされうる。さらに、機器５０４・５０５・５０６のいずれかの視聴者によってデータ等を個別に操作、送信等し、所定の時間においてインデックスの現在値を個別に決定するものとしうる。さらに、図２〜４に示されるような提示および他の情報を提供するインターフェースが、サーバー５０１、図示しないインターネットサイト、またはローカルに装置５０４・５０５・５０６のいずれかによって、適当なソフトウェアコードを介して提供されうる。
【００３１】
前記の例示的な実施例のいずれかに従って、本発明により、視聴者によって乗物の３Ｄ部位をくまなく操作できる環境が生成される。視聴者による乗物の部位および全体像を通してのナビゲートを可能とする実施例によって、豊富な観察の経験が提供される。このようなシステムの限定されない詳細な例を以下に示す。
【実施例１】
【００３２】
この限定されない詳細な例に従うインターフェースの限定しない例は、概して図２〜４に参照される。この例によって、分析者がＮＡＳＣＡＲカップ自動車のほぼいかなる領域をも見ることができ、また例えば５５インチのタッチスクリーン等の表示装置上で見ることができるように構成される、外装の一部を除いた仮想の自動車が提供される。このような外装の一部を除いた仮想の自動車は適当なソフトウェアによって作成されうるものであり、該ソフトウェアには、例えば特に自動車またはその他の参照画像とともに働く３Ｄアーティストを用いる、ＶＩＺ  ＲＴのリアルタイムＶＩＺアーティストソフトウェアおよびシネマ４Ｄが含まれる。
【００３３】
例示的な実施例において、外装の一部を除いた仮想の自動車は、事前に描画されたクリップ無しに、リアルタイム３Ｄにおいて動作する。このような態様において、分析者は任意の系列において自動車の所望の部分を見ることができる。よって、分析者は、無限の系列数を有する完全にカスタマイズ可能な要約を得ることができる。
【００３４】
さらに、例示的な実施例は分離された部分を備える。よって、分析者がエアフィルターを見たい場合、分析者がその領域にダイヤルすることで必要無い部分全てを除去しうる。
【００３５】
他の例示的な実施例において、自動車の外部制御をタブレットアプリケーションによって得るものとしうる。このような実施例において、分析者は、（一次の）タッチスクリーン表示装置を介して自動車の任意の領域を指示することができる。これはルーターに接続されたＷｉＦｉで行われるものとしうる。よって、同時通報制作設定において、１つのタブレットをブースに、１つをスタジオトラック（例えば一次のタッチスクリーン表示装置が配置される場所）に配置するものとしうる。別の実施例によってＲＦを介したネットワークへの接続が可能となり、これによって、同時通報人員、分析者等は、トラックのいかなる場所でもなお仮想の自動車を制御することができる（例えば、分析者をレーストラックの反対側に２マイル遠ざけても、仮想の自動車がリアルタイムで制御される）。
【００３６】
［他の例示的な実施例]
図２において示したように、あるインターフェースは、さらなる収入源として利用者に供給される広告を有する広告スペースを含みうる。任意のインターフェースにおいて、ウェブサイトインターフェース、献納アプリケーションインターフェース、携帯インターフェース、同時通報インターフェースおよび物理的位置のインターフェースを含むそのような広告が考慮される。さらに、例示的な実施例において、広告の一部または全てをスポンサーへ献納することが考慮される（例えばスポンサーが製品全体、特定の部位あるいは事象の商標経験を接取しうる）。
【００３７】
また、前記のように、本発明の例示的な実施例は、同時通報制作設定またはその他、例えば利用者が特に家庭用コンピューターまたは装置から仮想的自動車システムへ、インターフェースで接続する場合において用いられうる。
【００３８】
さらに、また前記のように、本発明の実施例は、コンピューターに実装されるプロセスおよびこれらのプロセスの実行のための機器として具体化されうる。よって、実施例によると、これまでに述べた方法はコンピューターシステムまたは機器によって実装されうる。コンピューターシステムまたは機器は、前記の携帯装置およびコンピューター機器に多少類似したものでありえるものであり、それは以下で述べる要素を含みうる。
【００３９】
図６において、例示的な実施例に係るコンピューター機器が示される。ここで述べる方法の一部または全体が、コンピューターシステム６００のプロセッサー６０２中の指示として実行されうる。コンピューターシステム６００は、指示および情報の保存のためのメモリー６０１、コンピューター通信のための入力装置６０３、およびユーザーインターフェース６０５を表示しうる表示装置６０４を含む。コンピューターシステム６００はさらに、ネットワーク４０６に接続されうる。
【００４０】
よって、本発明は、例えばコンピューターシステム６００に多少類似しているコンピューターシステム上の適当なコンピュータープログラムとして、ソフトウェアに実装されうる。例えば、本発明に従ったプログラムは、ここで述べた例の方法をコンピューターに実行させるコンピュータープログラム製品でありうる。
【００４１】
よって、実施例は、コンピューターに実装されたプロセスおよびこれらのプロセスをコンピュータープログラム製品上で実行するための機器として具体化できる。実施例は、図７に示される、コンピューター使用可能媒体７０２上の、１つの製品として有形メディア内に実装される指示を含むコンピュータープログラムコードロジック７０４を備える、コンピュータープログラム製品７００を含む。コンピューター使用可能媒体７０２のための例示的な製品には、フロッピーディスク、ＣＤ−ＲＯＭ、ハードドライブ、ユニバーサルシリアルバス（ＵＳＢ）フラッシュ装置または他のコンピューター可読記録媒体が含まれ、これによって、コンピュータープログラムコードロジック７０４がコンピューターにロードされ実行されると、該コンピューターは本発明を実行するための機器となる。実施例には例えば、記録媒体に記録されるか、コンピューターにロードおよび／または実行されるか、あるいは光ファイバーを経て、または電磁放射を介して電気的配線やケーブリング等の伝達媒体上を伝達されるコンピュータープログラムコードロジック７０４が含まれ、これによって、コンピュータープログラムコードロジック７０４がコンピューターにロードおよび／または実行されると、該コンピューターは本発明を実行するための機器となる。汎用のマイクロプロセッサーに実装されると、コンピュータープログラムコードロジック７０４の断片はマイクロプロセッサーを構成し特定の論理回路を形成する。
【００４２】
１つ以上のコンピューター可読媒体の任意の組み合わせが用いられうる。コンピューター可読媒体はコンピューター可読信号媒体またはコンピューター可読記録媒体でありうる。コンピューター可読記録媒体は例えば、電子的、磁的、光学的、電磁的、赤外線または半導体の、システム、機器または装置、あるいはこれらの適当な組み合わせでありうるがこれに限定されない。コンピューター可読記録媒体のより限定的な例（網羅していない一覧）は以下を含むであろう。すなわち、１つ以上のワイヤーを有する電気的接続、ポータブルコンピューターディスク、ハードディスク、ランダムアクセスメモリー（ＲＡＭ）、読み出し専用メモリー（ＲＯＭ）、電気的消去可能プログラマブル読み取り専用メモリー（ＥＰＲＯＭまたはフラッシュメモリー）、光ファイバー、ポータブルコンパクトディスク読み出し専用メモリー（ＣＤ−ＲＯＭ）、光学記録装置、磁気記録装置、あるいはこれらの適当な組み合わせである。この文脈において、コンピューター可読記録媒体は、指示実行システム、機器または装置に用いられるかそれに関するプログラムを包含または記録可能な任意の有形媒体でありうる。
【００４３】
コンピューター可読信号媒体は、例えばベースバンド中に、または搬送波の一部として、その中にコンピューター可読プログラムコードが実装されたプログラムされたデータ信号を含みうる。このようなプログラムされた信号は、電磁的、光学的、あるいはこれらの適当な組み合わせが含まれる各種の形態のいずれかをとりうるが、これに限定されない。コンピューター可読信号媒体は、コンピューター可読記録媒体ではなく、指示実行システム、機器または装置に用いられるかそれに関するプログラムを通信、伝播または伝達可能な任意のコンピューター可読媒体でありうる。
【００４４】
コンピューター可読媒体に実装されるプログラムコードは、無線、有線、光ファイバーケーブル、ＲＦまたはこれらの適当な組み合わせを含む適当な媒体を用いて伝達されうるがこれに限定されない。
【００４５】
本発明の操作を実行するためのコンピュータープログラムコードは、任意の組み合わせ、またはＪａｖａ、Ｓｍａｌｌｔａｌｋ、Ｃ＋＋等のオブジェクト指向プログラム言語、および“Ｃ”プログラム言語または類似のプログラム言語等の従来の手続き型プログラム言語を含む１つ以上のプログラム言語によって記述されうる。プログラムコードは、スタンドアローンのソフトウェアパッケージとして、完全に視聴者のコンピューター上で、、もしくは一部を視聴者のコンピューター上で実行したり、または、部分的に視聴者のコンピューター上と部分的にリモートコンピューター上とで実行したり、あるいは完全にリモートコンピューターまたはサーバー上で実行したりされる。後者においては、リモートコンピューターは視聴者のコンピューターに、ローカルエリアネットワーク（ＬＡＮ）または広域ネットワーク（ＷＡＮ）を含む任意の形式のネットワークを介して接続されうる。あるいは、接続は外部のコンピューターに対してなされうる（例えばインターネットサービスプロバイダを用いインターネットを介して）。
【００４６】
前記のように、実施例の特徴には従来技術で見られない他の独自の特徴が含まれる。
【００４７】
本発明の前記の実施例、特に特定の例における詳細な議論は、単に実装の可能な例であり、本発明の原理の明瞭な理解のために述べられることは強調されるべきである。本発明の精神および範囲から離れずに、本発明の前記の実施例に多くの変更および改良がなされうる。このような改良および変更は、この開示、本発明および請求項の保護の範囲に含まれることを意図する。
【図１】
0006621330.tif 000002
【図２】
0006621330.tif 000003
【図３】
0006621330.tif 000004
【図４】
0006621330.tif 000005
【図５】
0006621330.tif 000006
【図６】
0006621330.tif 000007
【図７】
0006621330.tif 000008